【手続補正書】
【提出日】平成23年3月8日(2011.3.8)
【手続補正１】
【補正対象書類名】特許請求の範囲
【補正対象項目名】全文
【補正方法】変更
【補正の内容】
【特許請求の範囲】
【請求項１】
絶縁基板と、
前記絶縁基板の上方に形成され、第１及び第２電極を含んだ電極アレイと、
前記電極アレイの上方に形成され、前記電極アレイを含む表示領域に亘って広がった連続膜としての第１発光層と、前記第１発光層の上方に形成され、前記表示領域に亘って広がった連続膜としての第２発光層とを含んだ有機物層と、
前記有機物層の上方に形成された対向電極と
を具備し、前記電極アレイと前記有機物層と前記対向電極とを含んだ積層体のうち前記第１及び第２電極に対応した部分は、それぞれ、第１及び第２有機ＥＬ素子を構成し、前記第１及び第２有機ＥＬ素子は発光色が互いに異なっている有機ＥＬディスプレイ。
【請求項２】
前記第１発光層のうち前記第１有機ＥＬ素子に対応した部分は第１材料からなり、前記第１発光層のうち前記第２有機ＥＬ素子に対応した部分は前記第１材料とは異なる第２材料からなり、前記第２材料は前記第１材料に光を照射することにより得られる材料と同一である請求項１に記載の有機ＥＬディスプレイ。
【請求項３】
前記第１発光層のうち前記第１及び第２有機ＥＬ素子に対応した部分は物理的性質が互いに異なっているか、又は、前記第２発光層のうち前記第１及び第２有機ＥＬ素子に対応した部分は物理的性質が互いに異なっている請求項１又は２に記載の有機ＥＬディスプレイ。
【請求項４】
前記第１発光層のうち前記第１有機ＥＬ素子に対応した部分は前記第１発光層のうち前記第２有機ＥＬ素子に対応した部分と比較してより高い効率で発光し、前記第２発光層のうち前記第２有機ＥＬ素子に対応した部分は前記第２発光層のうち前記第１有機ＥＬ素子に対応した部分と比較してより高い効率で発光する請求項１乃至３の何れか１項に記載の有機ＥＬディスプレイ。
【請求項５】
前記第１発光層のうち前記第１有機ＥＬ素子に対応した部分は、前記第１発光層のうち前記第２有機ＥＬ素子に対応した部分と比較して、発光し得るドーパント材料をより高い濃度で含有し、前記第２発光層のうち前記第２有機ＥＬ素子に対応した部分は、前記第２発光層のうち前記第１有機ＥＬ素子に対応した部分と比較して、発光し得るドーパント材料をより高い濃度で含有している請求項１乃至４の何れか１項に記載の有機ＥＬディスプレイ。
【請求項６】
前記第１発光層のうち前記第１有機ＥＬ素子に対応した部分は、前記第１発光層のうち前記第２有機ＥＬ素子に対応した部分とは電気的特性が異なっており、前記第２発光層のうち前記第２有機ＥＬ素子に対応した部分は、前記第２発光層のうち前記有機ＥＬ素子に対応した部分とは電気的特性が異なっている請求項１乃至５の何れか１項に記載の有機ＥＬディスプレイ。
【請求項７】
前記有機物層は、前記第１電極上に位置した第１部分と、前記第２電極上に位置した第２部分と、前記第１及び第２電極間に位置し、前記第１及び第２部分と比較して上面の高さがより低い部分とを含んだ請求項１乃至６の何れか１項に記載の有機ＥＬディスプレイ。
【請求項８】
絶縁基板と、
前記絶縁基板の上方に形成された第１乃至第３電極を含んだ電極アレイと、
前記電極アレイの上方に形成され、前記電極アレイを含む表示領域に亘って広がった連続膜としての第１発光層と、前記第１発光層の上方に形成され、前記表示領域に亘って広がった連続膜としての第２発光層と、前記第２発光層の上方に形成され、前記表示領域に亘って広がった連続膜としての第３発光層とを含んだ有機物層と
前記有機物層の上方に形成された対向電極と
を具備し、前記電極アレイと前記有機物層と前記対向電極とを含んだ積層体のうち前記第１乃至第３電極に対応した部分は、それぞれ、第１乃至第３有機ＥＬ素子を構成し、前記第１乃至第３有機ＥＬ素子は発光色が互いに異なっている有機ＥＬディスプレイ。
【請求項９】
前記絶縁基板と前記第１乃至第３有機ＥＬ素子との間に介在した反射層と、
前記反射層と前記第１乃至第３有機ＥＬ素子との間に介在し、前記反射層と前記第１有機ＥＬ素子との間に介在した部分の厚さと、前記反射層と前記第２有機ＥＬ素子との間に介在した部分の厚さと、前記反射層と前記第３有機ＥＬ素子との間に介在した部分の厚さとの各々が、前記第１発光層が放出する光の主波長の１／４と、前記第２発光層が放出する光の主波長の１／４と、前記第３発光層が放出する光の主波長の１／４との最小公倍数とほぼ等しい干渉調整層と
を更に具備した請求項８に記載の有機ＥＬディスプレイ。
【請求項１０】
前記絶縁基板と前記第１乃至第３有機ＥＬ素子との間に介在した反射層と、
前記反射層と前記第１及び第２有機ＥＬ素子との間に介在し、前記反射層と前記第３有機ＥＬ素子との間には設けられておらず、前記反射層と前記第１有機ＥＬ素子との間に介在した部分の厚さと、前記反射層と前記第２有機ＥＬ素子との間に介在した部分の厚さとの各々が、前記第１発光層が放出する光の主波長の１／４と、前記第２発光層が放出する光の主波長の１／４との最小公倍数とほぼ等しい干渉調整層と
を更に具備した請求項８に記載の有機ＥＬディスプレイ。
【請求項１１】
前記絶縁基板と前記第１乃至第３有機ＥＬ素子との間に介在した反射層を更に具備し、前記反射層のうち前記絶縁基板と前記第１及び第２有機ＥＬ素子との間に介在した部分は、表面に凹凸が設けられており、光散乱性である請求項８に記載の有機ＥＬディスプレイ。
【請求項１２】
絶縁基板の上方に形成された第１及び第２画素電極を含んだ電極アレイの上方に第１ルミネッセンス性有機材料を堆積させて、前記電極アレイを含む表示領域に亘って広がった連続膜として第１発光層を形成する工程と、
前記第１発光層のうち前記第１画素電極の上方に位置した部分に第１光を照射することなしに、前記第１発光層のうち前記第２画素電極の上方に位置した部分に前記第１光を照射する工程と、
前記第１発光層上に前記第１ルミネッセンス性有機材料とは異なる第２ルミネッセンス性有機材料を堆積させて、第２発光層を前記表示領域に亘って広がった連続膜として形成する工程と、
前記第２発光層の上方に対向電極を形成する工程と
を含んだ有機ＥＬディスプレイの製造方法。
【請求項１３】
絶縁基板の上方に形成された第１乃至第３画素電極を含んだ電極アレイの上方に第１ルミネッセンス性有機材料を堆積させて、前記電極アレイを含む表示領域に亘って広がった連続膜として第１発光層を形成する工程と、
前記第１発光層のうち前記第１画素電極の上方に位置した部分に第１光を照射することなしに、前記第１発光層のうち前記第２及び第３画素電極の上方に位置した部分に前記第１光を照射する工程と、
前記第１発光層上に前記第１ルミネッセンス性有機材料とは異なる第２ルミネッセンス性有機材料を堆積させて、第２発光層を前記表示領域に亘って広がった連続膜として形成する工程と、
前記第２発光層のうち前記第１及び第２画素電極の上方に位置した部分に第２光を照射することなしに、前記第２発光層のうち前記第３画素電極の上方に位置した部分に前記第２光を照射する工程と、
前記第２発光層上に前記第１及び第２ルミネッセンス性有機材料とは異なる第３ルミネッセンス性有機材料を堆積させて、第３発光層を前記表示領域に亘って広がった連続膜として形成する工程と、
前記第３発光層の上方に対向電極を形成する工程と
を含んだ有機ＥＬディスプレイの製造方法。
【請求項１４】
絶縁基板の上方に形成された第１及び第２画素電極を含んだ電極アレイの上方に第１ルミネッセンス性有機材料を堆積させて、前記電極アレイを含む表示領域に亘って広がった連続膜として第１発光層を形成する工程と、
前記第１発光層上に前記第１ルミネッセンス性有機材料とは異なる第２ルミネッセンス性有機材料を堆積させて、第２発光層を前記表示領域に亘って広がった連続膜として形成する工程と、
前記第２発光層の上方に対向電極を形成する工程と、
前記第２発光層を形成した後に、前記第１発光層のうち前記第１画素電極の上方に位置した部分に第１光を照射することなしに、前記第１発光層のうち前記第２画素電極の上方に位置した部分に前記第１光を照射する工程と
を含んだ有機ＥＬディスプレイの製造方法。
【請求項１５】
絶縁基板の上方に形成された第１乃至第３画素電極を含んだ電極アレイの上方に第１ルミネッセンス性有機材料を堆積させて、前記電極アレイを含む表示領域に亘って広がった連続膜として第１発光層を形成する工程と、
前記第１発光層上に前記第１ルミネッセンス性有機材料とは異なる第２ルミネッセンス性有機材料を堆積させて、第２発光層を前記表示領域に亘って広がった連続膜として形成する工程と、
前記第２発光層上に前記第１及び第２ルミネッセンス性有機材料とは異なる第３ルミネッセンス性有機材料を堆積させて、第３発光層を前記表示領域に亘って広がった連続膜として形成する工程と、
前記第２発光層を形成した後に、前記第１発光層のうち前記第１画素電極の上方に位置した部分に第１光を照射することなしに、前記第１発光層のうち前記第２及び第３画素電極の上方に位置した部分に前記第１光を照射する工程と、
前記第２発光層のうち前記第１及び第２画素電極の上方に位置した部分に前記第１光とはスペクトルが異なる第２光を照射することなしに、前記第２発光層のうち前記第３画素電極の上方に位置した部分に前記第２光を照射する工程と
を含んだ有機ＥＬディスプレイの製造方法。
【請求項１６】
前記対向電極を形成した後に前記第１及び第２光の照射を行う請求項１５に記載の方法。
【請求項１７】
絶縁基板の上方に形成された第１及び第２画素電極を含んだ電極アレイの上方に第１ルミネッセンス性有機材料を堆積させて、前記電極アレイを含む表示領域に亘って広がった連続膜として第１発光層を形成する工程と、
前記第１発光層上に前記第１ルミネッセンス性有機材料とは異なる第２ルミネッセンス性有機材料を堆積させて、第２発光層を前記表示領域に亘って広がった連続膜として形成する工程と、
前記第２発光層の上方に対向電極を形成する工程と、
前記第２発光層を形成した後に、前記第１及び第２発光層のうち前記第１画素電極の上方に位置した部分に光を照射することなしに、前記第１及び第２発光層のうち前記第２画素電極の上方に位置した部分に前記光を照射する工程と
を含んだ有機ＥＬディスプレイの製造方法。
【請求項１８】
絶縁基板の上方に形成された第１乃至第３画素電極を含んだ電極アレイの上方に第１ルミネッセンス性有機材料を堆積させて、前記電極アレイを含む表示領域に亘って広がった連続膜として第１発光層を形成する工程と、
前記第１発光層上に前記第１ルミネッセンス性有機材料とは異なる第２ルミネッセンス性有機材料を堆積させて、第２発光層を前記表示領域に亘って広がった連続膜として形成する工程と、
前記第２発光層上に前記第１及び第２ルミネッセンス性有機材料とは異なる第３ルミネッセンス性有機材料を堆積させて、第３発光層を前記表示領域に亘って広がった連続膜として形成する工程と、
前記第２発光層を形成した後に、ハーフトーンマスクを用いて、前記第１及び第２発光層のうち前記第１画素電極の上方に位置した部分に光を照射することなしに、前記第１及び第２発光層のうち前記第２及び第３画素電極の上方に位置した部分に、前記第１及び第２発光層のうち前記第３画素電極の上方に位置した部分の露光量が、前記第１及び第２発光層のうち前記第２画素電極の上方に位置した部分の露光量と比較してより大きくなるように前記光を照射して、前記第１及び第２発光層のうち前記第２画素電極の上方に位置した部分の正孔移動度及び正孔注入効率の少なくとも一方を、前記第１及び第２発光層のうち前記第１画素電極の上方に位置した部分の正孔移動度及び正孔注入効率の少なくとも一方と比較してより大きくし、前記第１及び第２発光層のうち前記第３画素電極の上方に位置した部分の正孔移動度及び正孔注入効率の少なくとも一方を、前記第１及び第２発光層のうち前記第２画素電極の上方に位置した部分の正孔移動度及び正孔注入効率の少なくとも一方と比較してより大きくする工程と
を含んだ有機ＥＬディスプレイの製造方法。
【手続補正２】
【補正対象書類名】明細書
【補正対象項目名】００１０
【補正方法】変更
【補正の内容】
【００１０】
本発明の第１側面によると、絶縁基板と、前記絶縁基板の上方に形成され、第１及び第２電極を含んだ電極アレイと、前記電極アレイの上方に形成され、前記電極アレイを含む表示領域に亘って広がった連続膜としての第１発光層と、前記第１発光層の上方に形成され、前記表示領域に亘って広がった連続膜としての第２発光層とを含んだ有機物層と、前記有機物層の上方に形成された対向電極とを具備し、前記電極アレイと前記有機物層と前記対向電極とを含んだ積層体のうち前記第１及び第２電極に対応した部分は、それぞれ、第１及び第２有機ＥＬ素子を構成し、前記第１及び第２有機ＥＬ素子は発光色が互いに異なっている有機ＥＬディスプレイが提供される。
本発明の第２側面によると、絶縁基板と、前記絶縁基板の上方に形成された第１乃至第３電極を含んだ電極アレイと、前記電極アレイの上方に形成され、前記電極アレイを含む表示領域に亘って広がった連続膜としての第１発光層と、前記第１発光層の上方に形成され、前記表示領域に亘って広がった連続膜としての第２発光層と、前記第２発光層の上方に形成され、前記表示領域に亘って広がった連続膜としての第３発光層とを含んだ有機物層と前記有機物層の上方に形成された対向電極とを具備し、前記電極アレイと前記有機物層と前記対向電極とを含んだ積層体のうち前記第１乃至第３電極に対応した部分は、それぞれ、第１乃至第３有機ＥＬ素子を構成し、前記第１乃至第３有機ＥＬ素子は発光色が互いに異なっている有機ＥＬディスプレイが提供される。
【手続補正３】
【補正対象書類名】明細書
【補正対象項目名】００１１
【補正方法】変更
【補正の内容】
【００１１】
本発明の第３側面によると、絶縁基板の上方に形成された第１及び第２画素電極を含んだ電極アレイの上方に第１ルミネッセンス性有機材料を堆積させて、前記電極アレイを含む表示領域に亘って広がった連続膜として第１発光層を形成する工程と、前記第１発光層のうち前記第１画素電極の上方に位置した部分に第１光を照射することなしに、前記第１発光層のうち前記第２画素電極の上方に位置した部分に前記第１光を照射する工程と、前記第１発光層上に前記第１ルミネッセンス性有機材料とは異なる第２ルミネッセンス性有機材料を堆積させて、第２発光層を前記表示領域に亘って広がった連続膜として形成する工程と、前記第２発光層の上方に対向電極を形成する工程とを含んだ有機ＥＬディスプレイの製造方法が提供される。
本発明の第４側面によると、絶縁基板の上方に形成された第１乃至第３画素電極を含んだ電極アレイの上方に第１ルミネッセンス性有機材料を堆積させて、前記電極アレイを含む表示領域に亘って広がった連続膜として第１発光層を形成する工程と、前記第１発光層のうち前記第１画素電極の上方に位置した部分に第１光を照射することなしに、前記第１発光層のうち前記第２及び第３画素電極の上方に位置した部分に前記第１光を照射する工程と、前記第１発光層上に前記第１ルミネッセンス性有機材料とは異なる第２ルミネッセンス性有機材料を堆積させて、第２発光層を前記表示領域に亘って広がった連続膜として形成する工程と、前記第２発光層のうち前記第１及び第２画素電極の上方に位置した部分に第２光を照射することなしに、前記第２発光層のうち前記第３画素電極の上方に位置した部分に前記第２光を照射する工程と、前記第２発光層上に前記第１及び第２ルミネッセンス性有機材料とは異なる第３ルミネッセンス性有機材料を堆積させて、第３発光層を前記表示領域に亘って広がった連続膜として形成する工程と、前記第３発光層の上方に対向電極を形成する工程とを含んだ有機ＥＬディスプレイの製造方法が提供される。
本発明の第５側面によると、絶縁基板の上方に形成された第１及び第２画素電極を含んだ電極アレイの上方に第１ルミネッセンス性有機材料を堆積させて、前記電極アレイを含む表示領域に亘って広がった連続膜として第１発光層を形成する工程と、前記第１発光層上に前記第１ルミネッセンス性有機材料とは異なる第２ルミネッセンス性有機材料を堆積させて、第２発光層を前記表示領域に亘って広がった連続膜として形成する工程と、前記第２発光層の上方に対向電極を形成する工程と、前記第２発光層を形成した後に、前記第１発光層のうち前記第１画素電極の上方に位置した部分に第１光を照射することなしに、前記第１発光層のうち前記第２画素電極の上方に位置した部分に前記第１光を照射する工程とを含んだ有機ＥＬディスプレイの製造方法が提供される。
本発明の第６側面によると、絶縁基板の上方に形成された第１乃至第３画素電極を含んだ電極アレイの上方に第１ルミネッセンス性有機材料を堆積させて、前記電極アレイを含む表示領域に亘って広がった連続膜として第１発光層を形成する工程と、前記第１発光層上に前記第１ルミネッセンス性有機材料とは異なる第２ルミネッセンス性有機材料を堆積させて、第２発光層を前記表示領域に亘って広がった連続膜として形成する工程と、前記第２発光層上に前記第１及び第２ルミネッセンス性有機材料とは異なる第３ルミネッセンス性有機材料を堆積させて、第３発光層を前記表示領域に亘って広がった連続膜として形成する工程と、前記第２発光層を形成した後に、前記第１発光層のうち前記第１画素電極の上方に位置した部分に第１光を照射することなしに、前記第１発光層のうち前記第２及び第３画素電極の上方に位置した部分に前記第１光を照射する工程と、前記第２発光層のうち前記第１及び第２画素電極の上方に位置した部分に前記第１光とはスペクトルが異なる第２光を照射することなしに、前記第２発光層のうち前記第３画素電極の上方に位置した部分に前記第２光を照射する工程とを含んだ有機ＥＬディスプレイの製造方法が提供される。
本発明の第７側面によると、絶縁基板の上方に形成された第１及び第２画素電極を含んだ電極アレイの上方に第１ルミネッセンス性有機材料を堆積させて、前記電極アレイを含む表示領域に亘って広がった連続膜として第１発光層を形成する工程と、前記第１発光層上に前記第１ルミネッセンス性有機材料とは異なる第２ルミネッセンス性有機材料を堆積させて、第２発光層を前記表示領域に亘って広がった連続膜として形成する工程と、前記第２発光層の上方に対向電極を形成する工程と、前記第２発光層を形成した後に、前記第１及び第２発光層のうち前記第１画素電極の上方に位置した部分に光を照射することなしに、前記第１及び第２発光層のうち前記第２画素電極の上方に位置した部分に前記光を照射する工程とを含んだ有機ＥＬディスプレイの製造方法が提供される。
本発明の第８側面によると、絶縁基板の上方に形成された第１乃至第３画素電極を含んだ電極アレイの上方に第１ルミネッセンス性有機材料を堆積させて、前記電極アレイを含む表示領域に亘って広がった連続膜として第１発光層を形成する工程と、前記第１発光層上に前記第１ルミネッセンス性有機材料とは異なる第２ルミネッセンス性有機材料を堆積させて、第２発光層を前記表示領域に亘って広がった連続膜として形成する工程と、前記第２発光層上に前記第１及び第２ルミネッセンス性有機材料とは異なる第３ルミネッセンス性有機材料を堆積させて、第３発光層を前記表示領域に亘って広がった連続膜として形成する工程と、前記第２発光層を形成した後に、ハーフトーンマスクを用いて、前記第１及び第２発光層のうち前記第１画素電極の上方に位置した部分に光を照射することなしに、前記第１及び第２発光層のうち前記第２及び第３画素電極の上方に位置した部分に、前記第１及び第２発光層のうち前記第３画素電極の上方に位置した部分の露光量が、前記第１及び第２発光層のうち前記第２画素電極の上方に位置した部分の露光量と比較してより大きくなるように前記光を照射して、前記第１及び第２発光層のうち前記第２画素電極の上方に位置した部分の正孔移動度及び正孔注入効率の少なくとも一方を、前記第１及び第２発光層のうち前記第１画素電極の上方に位置した部分の正孔移動度及び正孔注入効率の少なくとも一方と比較してより大きくし、前記第１及び第２発光層のうち前記第３画素電極の上方に位置した部分の正孔移動度及び正孔注入効率の少なくとも一方を、前記第１及び第２発光層のうち前記第２画素電極の上方に位置した部分の正孔移動度及び正孔注入効率の少なくとも一方と比較してより大きくする工程とを含んだ有機ＥＬディスプレイの製造方法が提供される。
【手続補正４】
【補正対象書類名】明細書
【補正対象項目名】０２２５
【補正方法】変更
【補正の内容】
【０２２５】
更なる利益及び変形は、当業者には容易である。それゆえ、本発明は、そのより広い側面において、ここに記載された特定の記載や代表的な態様に限定されるべきではない。従って、添付の請求の範囲及びその等価物によって規定される本発明の包括的概念の真意又は範囲から逸脱しない範囲内で、様々な変形が可能である。
＜付記＞
［１］有機ＥＬディスプレイであって、
絶縁基板と、
前記絶縁基板に支持された第１及び第２電極を含んだ電極アレイと、
前記電極アレイと向き合った対向電極と、
前記電極アレイと前記対向電極との間に介在した第１発光層と、前記第１発光層と前記対向電極との間に介在した第２発光層とを含んだ有機物層とを具備し、前記第１及び第２発光層の各々は前記電極アレイを含む表示領域の全体に亘って広がった連続膜であり、前記電極アレイと前記有機物層と前記対向電極とを含んだ積層体のうち前記第１及び第２電極に対応した部分は、それぞれ、第１及び第２有機ＥＬ素子を構成し、前記第１及び第２有機ＥＬ素子は発光色が互いに異なっているディスプレイ。
［２］項１に記載のディスプレイであって、前記第１発光層のうち前記第１及び第２有機ＥＬ素子に対応した部分は物理的性質が互いに異なっているか、又は、前記第２発光層のうち前記第１及び第２有機ＥＬ素子に対応した部分は物理的性質が互いに異なっているディスプレイ。
［３］項１に記載のディスプレイであって、前記第１発光層のうち前記第１有機ＥＬ素子に対応した部分は前記第１発光層のうち前記第２有機ＥＬ素子に対応した部分と比較してより高い効率で発光し、前記第２発光層のうち前記第２有機ＥＬ素子に対応した部分は前記第２発光層のうち前記第１有機ＥＬ素子に対応した部分と比較してより高い効率で発光するディスプレイ。
［４］項３に記載のディスプレイであって、前記第１有機ＥＬ素子が放出する光は前記第２有機ＥＬ素子が放出する光と比較して主波長がより長いディスプレイ。
［５］項１に記載のディスプレイであって、前記第１発光層のうち前記第１有機ＥＬ素子に対応した部分は第１材料からなり、前記第１発光層のうち前記第２有機ＥＬ素子に対応した部分は前記第１材料とは異なる第２材料からなり、前記第２材料は前記第１材料に光を照射することにより得られる材料と同一であるディスプレイ。
［６］項１に記載のディスプレイであって、前記電極アレイは前記絶縁基板に支持された第３電極を更に含み、前記有機物層は前記第２発光層と前記対向電極との間に介在した第３発光層を更に含み、前記第３発光層は前記表示領域の全体に亘って広がった連続膜であり、前記積層体のうち前記第３電極に対応した部分は第３有機ＥＬ素子を構成し、前記第３有機ＥＬ素子は前記第１及び第２有機ＥＬ素子とは発光色が異なっているディスプレイ。
［７］項６に記載のディスプレイであって、前記第１発光層のうち前記第２及び第３有機ＥＬ素子に対応した部分は前記第１発光層のうち前記第１有機ＥＬ素子に対応した部分とは物理的性質が異なっており、前記第２発光層のうち前記第３有機ＥＬ素子に対応した部分は前記第２発光層のうち前記第１及び第２有機ＥＬ素子に対応した部分とは物理的性質が異なっているディスプレイ。
［８］項６に記載のディスプレイであって、前記第１発光層のうち前記第１有機ＥＬ素子に対応した部分は前記第１発光層のうち前記第２及び第３有機ＥＬ素子に対応した部分と比較してより高い効率で発光し、前記第２発光層のうち前記第２有機ＥＬ素子に対応した部分は前記第２発光層のうち前記第１及び第３有機ＥＬ素子に対応した部分と比較してより高い効率で発光し、前記第３発光層のうち前記第３有機ＥＬ素子に対応した部分は前記第３発光層のうち前記第１及び第２有機ＥＬ素子に対応した部分と比較してより高い効率で発光するディスプレイ。
［９］項８に記載のディスプレイであって、前記第１有機ＥＬ素子が放出する光は前記第２有機ＥＬ素子が放出する光と比較して主波長がより長く、前記第２有機ＥＬ素子が放出する光は前記第３有機ＥＬ素子が放出する光と比較して主波長がより長いディスプレイ。
［１０］項８に記載のディスプレイであって、前記第１発光層のうち前記第１有機ＥＬ素子に対応した部分は赤色に発光し、前記第２発光層のうち前記第２有機ＥＬ素子に対応した部分は緑色に発光し、前記第３発光層のうち前記第３有機ＥＬ素子に対応した部分は青色に発光し、前記第１有機ＥＬ素子の発光色は赤色であり、前記第２有機ＥＬ素子の発光色は緑色であり、前記第３有機ＥＬ素子の発光色は青色であるディスプレイ。
［１１］項６に記載のディスプレイであって、前記第１発光層のうち前記第１有機ＥＬ素子に対応した部分は第１材料からなり、前記第１発光層のうち前記第２及び第３有機ＥＬ素子に対応した部分は前記第１材料とは異なる第２材料からなり、前記第２材料は前記第１材料に光を照射することにより得られる材料と同一であり、前記第２発光層のうち前記第１及び第２有機ＥＬ素子に対応した部分は第３材料からなり、前記第２発光層のうち前記第３有機ＥＬ素子に対応した部分は前記第３材料とは異なる第４材料からなり、前記第４材料は前記第３材料に光を照射することにより得られる材料と同一であるディスプレイ。
［１２］有機ＥＬディスプレイの製造方法であって、
絶縁基板に支持された複数の電極を含んだ電極アレイ上に第１ルミネッセンス性有機材料を堆積させて、前記電極アレイを含む表示領域の全体に亘って広がった連続膜として第１発光層を得ることと、
前記第１発光層のうち前記複数の電極の一部と向き合った部分に、前記第１発光層のうち前記複数の電極の他の一部と向き合った部分に第１光を照射することなしに第１光を照射して、前記第１発光層のうち前記第１光が照射された部分で前記第１ルミネッセンス性有機材料を前記第１ルミネッセンス性有機材料とは異なる材料へと変化させることとを含んだ方法。
［１３］項１２に記載の方法であって、前記複数の電極は、前記第１発光層のうち前記第１光が照射されない部分と向き合った第１電極と、前記第１発光層のうち前記第１光が照射される部分と各々が向き合った第２及び第３電極とを含み、前記方法は、
前記第１発光層上に前記第１ルミネッセンス性有機材料とは異なる第２ルミネッセンス性有機材料を堆積させて、第２発光層を前記表示領域の全体に亘って広がった連続膜として得ることと、
前記第２発光層のうち前記第３電極と向き合った部分に、前記第２発光層のうち前記第１及び第２電極と向き合った部分に第２光を照射することなしに第２光を照射して、前記第２発光層のうち前記第２光が照射された部分で前記第２ルミネッセンス性有機材料を前記第２ルミネッセンス性有機材料とは異なる材料へと変化させることと、
前記第２発光層上に前記第１及び第２ルミネッセンス性有機材料とは異なる第３ルミネッセンス性有機材料を堆積させて、第３発光層を前記表示領域の全体に亘って広がった連続膜として得ることとを更に含んだ方法。
［１４］項１３に記載の方法であって、前記第１光の照射を前記第２ルミネッセンス性有機材料の堆積前に行う方法。
［１５］項１３に記載の方法であって、前記第１及び第２光はスペクトルが互いに異なっており、前記第１光の照射を前記第２ルミネッセンス性有機材料の堆積後に行う方法。
［１６］項１２に記載の方法であって、
前記第１発光層上に前記第１ルミネッセンス性有機材料とは異なる第２ルミネッセンス性有機材料を堆積させて、第２発光層を前記表示領域の全体に亘って広がった連続膜として得ることと、
前記第２発光層上に前記第１及び第ルミネッセンス性有機２材料とは異なる第３ルミネッセンス性有機材料を堆積させて、第３発光層を前記表示領域の全体に亘って広がった連続膜として得ることとを更に含み、
前記複数の電極は、前記第１発光層のうち前記第１光が照射されない部分と向き合った第１電極と、前記第１発光層のうち前記第１光が照射される部分と各々が向き合った第２及び第３電極とを含み、
前記第１光の照射は、前記第２ルミネッセンス性有機材料の堆積後に、前記第３電極の位置の露光量が、前記第２電極の位置の露光量よりも大きくなるように行われる方法。
［１７］項１２に記載の方法であって、
前記第１ルミネッセンス性有機材料の堆積前に電極アレイ上に正孔輸送層を形成することと、
前記第１ルミネッセンス性有機材料の堆積前に前記正孔輸送層の少なくとも一部に光を照射して、前記正孔輸送層の前記光を照射した部分の電気的特性を変化させることとを更に含んだ方法。
［１８］項１２に記載の方法であって、
前記第１発光層上に電子輸送層を形成することと、
前記電子輸送層の一部に光を照射して、前記電子輸送層の前記光を照射した部分と前記光を照射していない部分とに電気的特性の相違を生じさせることとを更に含んだ方法。
［１９］項１２に記載の方法であって、前記第１光は紫外光である方法。
［２０］項１２に記載の方法であって、前記第１光の波長は２００ｎｍより長く且つ４００ｎｍも短く、前記第１光の照射は０．００１乃至１ｍＷ・ｍｍ-2・ｎｍ-1の露光量で行われる方法。